【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
コントローラ側スライド部を有するゲームコントローラに取り付け可能なアタッチメントであって、
前記アタッチメントの第１面に設けられ、前記コントローラ側スライド部に対して所定のスライド方向にスライド可能に係合することが可能であって、当該スライド方向の一方側と他方側とのうちの一方側から前記コントローラ側スライド部を挿入可能なアタッチメント側スライド部と、
前記アタッチメント側スライド部の中央より前記一方側に設けられ、前記アタッチメント側スライド部に前記コントローラ側スライド部が挿入されることにより前記ゲームコントローラが前記アタッチメントに装着された状態において、当該挿入の方向とは逆の抜去方向へのスライド移動を係止する係止部と、
前記アタッチメントのうちで、当該アタッチメントの中央よりも、前記スライド方向の前記他方側と同じ側の部分にストラップを取り付け可能なストラップ取り付け部とを備える、アタッチメント。
【請求項２】
前記アタッチメントは、孔が形成されたハウジングをさらに備え、
前記ストラップ取り付け部は、前記ハウジングの内部に設けられる軸部であり、
前記軸部に取り付けられ、前記孔から前記ハウジングの外部に延びるストラップをさらに備える、請求項１に記載のアタッチメント。
【請求項３】
前記係止部は、前記アタッチメント側スライド部における前記一方側の端部に設けられる、請求項１または請求項２に記載のアタッチメント。
【請求項４】
前記係止部は、前記アタッチメントが装着された状態の前記ゲームコントローラの前記コントローラ側スライド部の端部に係止する、請求項１から請求項３のいずれか１項に記載のアタッチメント。
【請求項５】
前記係止部は、前記スライド方向とは異なる方向に、第１位置と第２位置との間で移動可能であり、
前記第１位置にある前記係止部は、前記スライド方向に沿った所定面から、当該係止部が前記第２位置にある状態よりも突出することによって、前記アタッチメントが装着された状態の前記ゲームコントローラに引っ掛かることが可能である、請求項１から請求項４のいずれか１項に記載のアタッチメント。
【請求項６】
前記係止部は、前記スライド方向とは異なる方向に、第１位置と第２位置との間で移動可能であり、
前記第１位置は、前記アタッチメント側スライド部の前記一方側における挿入口の少なくとも一部を前記係止部が塞ぐ位置であり、
前記第２位置は、前記アタッチメント側スライド部の前記一方側における挿入口が前記係止部によって開放される位置である、請求項１から請求項５のいずれか１項に記載のアタッチメント。
【請求項７】
前記係止部は、前記スライド方向に対して実質的に垂直な方向に移動可能である、請求項５または請求項６に記載のアタッチメント。
【請求項８】
前記第２位置から第１位置への方向へ前記係止部を付勢する付勢部をさらに備える、請求項５から請求項７のいずれか１項に記載のアタッチメント。
【請求項９】
前記係止部は、前記一方側の端部において、当該一方側に向かうにつれて前記第１位置から第２位置への方向に傾斜する斜面を有する、請求項５から請求項８のいずれか１項に記載のアタッチメント。
【請求項１０】
前記係止部は、前記一方側の端部に突起を有する、請求項１から請求項９のいずれか１項に記載のアタッチメント。
【請求項１１】
前記第１面から、当該第１面に対して離れる方向へ延びる底面を有する底面部と、
前記底面に設けられる弾性部材とをさらに備える、請求項１から請求項１０のいずれか１項に記載のアタッチメント。
【請求項１２】
前記弾性部材は、前記底面において、当該底面の中央より前記アタッチメント側スライド部の反対側に設けられる、請求項１１に記載のアタッチメント。
【請求項１３】
前記ゲームコントローラは、
前記アタッチメントが装着された状態において前記底面に対向する裏面と、
前記裏面の反対側の面である主面と、
前記主面のうちの所定領域に設けられる１以上の操作部とを有し、
前記弾性部材は、前記アタッチメントが装着された前記ゲームコントローラの前記裏面において前記所定領域に対応する領域に対向する位置に設けられる、請求項１１または請求項１２に記載のアタッチメント。
【請求項１４】
前記アタッチメント側スライド部において中央よりも前記他方側に、前記第１面を向く面が露出するように設けられ、前記アタッチメントが装着された前記ゲームコントローラの端子と電気的に接続される端子部をさらに備える、請求項１から請求項１３のいずれか１項に記載のアタッチメント。
【請求項１５】
前記ゲームコントローラと電気的に接続可能な端子と、
前記端子を介して前記ゲームコントローラへ電力を供給するための電池とを備える、請求項１から請求項１３のいずれか１項に記載のアタッチメント。
【請求項１６】
前記アタッチメント側スライド部は、前記スライド方向に沿って設けられるレール部材である、請求項１から請求項１５のいずれか１項に記載のアタッチメント。
【請求項１７】
前記アタッチメント側スライド部は、金属で構成される、請求項１から請求項１６のいずれか１項に記載のアタッチメント。
【請求項１８】
前記コントローラ側スライド部には、コントローラ側第１操作ボタンが設けられ、
前記アタッチメントは、前記第１面の裏側の第２面から突出可能なアタッチメント側第１操作ボタンを備え、
前記アタッチメント側第１操作ボタンは、当該アタッチメント側第１操作ボタンに対する押下操作に応じて前記第１面から突出する方向に移動可能であり、前記コントローラ側第１操作ボタンを押下可能な第１突出部を有する、請求項１から請求項１７のいずれか１項に記載のアタッチメント。
【請求項１９】
前記アタッチメント側第１操作ボタンの操作面の面積は、前記コントローラ側第１操作ボタンの面積よりも大きい、請求項１８に記載のアタッチメント。
【請求項２０】
前記第１突出部の先端は曲面形状を有する、請求項１８または請求項１９に記載のアタッチメント。
【請求項２１】
前記第１突出部は、突出方向に垂直な断面形状が十字形状である、請求項１８から請求項２０のいずれか１項に記載のアタッチメント。
【請求項２２】
前記スライド方向における前記第２面の両側の端部は、丸みを帯びた曲面で形成される、請求項１８から請求項２１のいずれか１項に記載のアタッチメント。
【請求項２３】
前記アタッチメント側スライド部の底面に入射口が設けられ、
前記アタッチメント側スライド部の底面とは異なる、前記アタッチメントの他の面に出射口が設けられ、
前記入射口に対して入射された光を前記出射口まで導光する導光部を有する、請求項１８から請求項２２のいずれか１項に記載のアタッチメント。
【請求項２４】
前記出射口は前記第２面に設けられる、請求項２３に記載のアタッチメント。
【請求項２５】
前記コントローラ側スライド部には、コントローラ側第２操作ボタンがさらに設けられ、
前記アタッチメントは、前記第２面から突出可能なアタッチメント側第２操作ボタンを備え、
前記アタッチメント側第２操作ボタンは、当該アタッチメント側第２操作ボタンに対する押下操作に応じて前記第１面から突出する方向に移動可能であり、前記コントローラ側第２操作ボタンを押下可能な第２突出部を有し、
前記出射口は、前記第２面において、前記アタッチメント側第１操作ボタンと前記アタッチメント側第２操作ボタンとの間に設けられる、請求項２３または請求項２４に記載のアタッチメント。
【請求項２６】
ゲームコントローラと、当該ゲームコントローラに装着可能なアタッチメントとを含む操作システムであって、
前記ゲームコントローラは、
コントローラ側スライド部を備え、
前記アタッチメントは、
前記アタッチメントの第１面に設けられ、前記コントローラ側スライド部に対して所定のスライド方向にスライド可能に係合することが可能であって、当該スライド方向の一方側と他方側とのうちの一方側から前記コントローラ側スライド部を挿入可能なアタッチメント側スライド部と、
前記アタッチメント側スライド部の中央より前記一方側に設けられ、前記アタッチメント側スライド部に前記コントローラ側スライド部が挿入されることにより前記ゲームコントローラが前記アタッチメントに装着された状態において、当該挿入の方向とは逆の抜去方向へのスライド移動を係止する係止部と、
前記アタッチメントのうちで、当該アタッチメントの中央よりも、前記スライド方向の前記他方側と同じ側の部分にストラップを取り付け可能なストラップ取り付け部とを備える、操作システム。